(57)【要約】【課題】本発明は、ＭＣＵからの画像データを表示パネルへ転送する画像転送制御回路において、ＭＣＵの負荷を軽減しつつ、ティアリング現象の発生を防止できるようにする。【解決手段】たとえば、カウンタ回路３１８，３１９によって、ＭＣＵ１０より入力される画像データの画像入力周波数（Ｆｉｎ）と、表示パネル２０に出力する画像データの画像出力周波数（Ｆｏｕｔ）および１フレーム画像出力時間（Ｔ）とを取得する。また、算出回路３２０により、画像入力周波数（Ｆｉｎ）と画像出力周波数（Ｆｏｕｔ）と１フレーム画像出力時間（Ｔ）とにもとづいて、Ｔｅａｒｉｎｇ発生境界時間を算出する。そして、生成回路３２１により、Ｔｅａｒｉｎｇ発生境界時間をもとにＴｅａｒｉｎｇ予告信号を生成し、このＴｅａｒｉｎｇ予告信号に応じて画像データ入力のタイミングを制御するよう、ＭＣＵ１０に通知する構成となっている。【選択図】      図１
2010026394.tif 000002
【特許請求の範囲】
【請求項１】
ホストプロセッサからの画像信号を、表示装置が要求する転送速度に変換して転送する表示制御装置であって、
前記ホストプロセッサより入力される前記画像信号の入力周波数（Ｆｉｎ）を検出する入力周波数検出回路と、
前記表示装置に出力する前記画像信号の出力周波数（Ｆｏｕｔ）および１フレーム画像出力時間（Ｔ）を検出する出力周波数検出回路と、
前記入力周波数（Ｆｉｎ）と、前記出力周波数（Ｆｏｕｔ）および前記１フレーム画像出力時間（Ｔ）とにもとづいて、ティアリング現象の発生が予測される時間を画定するためのティアリング発生境界時間を算出する算出回路と、
前記ティアリング発生境界時間からティアリング現象の発生を予告するティアリング予告信号を生成し、前記ホストプロセッサに通知する生成回路と
を具備し、
前記ティアリング予告信号を、前記ホストプロセッサが前記画像信号の出力タイミングを制御する際の目安とするようにしたことを特徴とする表示制御装置。
【請求項２】
さらに、前記ホストプロセッサからの前記画像信号を一時保存するための画像メモリを備えることを特徴とする請求項１に記載の表示制御装置。
【請求項３】
ホストプロセッサより第１の転送速度で入力される画像信号を保存する画像メモリと、
前記画像メモリに保存された前記画像信号を、表示装置が要求する第２の転送速度に変換して出力する処理回路と、
前記ホストプロセッサより入力される同期信号とクロック信号とから、前記画像信号の入力周波数（Ｆｉｎ）を検出する入力周波数検出回路と、
前記表示装置に出力する同期信号とクロック信号とから、前記画像信号の出力周波数（Ｆｏｕｔ）および１フレーム画像出力時間（Ｔ）を検出する出力周波数検出回路と、
前記入力周波数（Ｆｉｎ）と、前記出力周波数（Ｆｏｕｔ）および前記１フレーム画像出力時間（Ｔ）とにもとづいて、ティアリング現象の発生が予測される時間を画定するためのティアリング発生境界時間を算出する算出回路と、
前記ティアリング発生境界時間からティアリング現象の発生を予告するティアリング予告信号を生成するとともに、前記画像信号の出力タイミングを制御する際の目安として、前記ティアリング予告信号を前記ホストプロセッサに通知する生成回路と
を具備したことを特徴とする表示制御装置。
【請求項４】
前記算出回路は、前記入力周波数（Ｆｉｎ）と前記出力周波数（Ｆｏｕｔ）との関係が２  ＞  Ｆｏｕｔ／Ｆｉｎ  ≧  １のとき、式（２−Ｆｏｕｔ／Ｆｉｎ）Ｔにしたがって、前記ティアリング発生境界時間を算出するものであることを特徴とする請求項１または３に記載の表示制御装置。
【請求項５】
前記算出回路は、前記入力周波数（Ｆｉｎ）と前記出力周波数（Ｆｏｕｔ）との関係が１  ＞  Ｆｏｕｔ／Ｆｉｎ  ≧  ０のとき、式（１−Ｆｏｕｔ／Ｆｉｎ）Ｔにしたがって、前記ティアリング発生境界時間を算出するものであることを特徴とする請求項１または３に記載の表示制御装置。
【発明の詳細な説明】
【技術分野】
【０００１】
本発明は、表示制御装置に関するもので、たとえば、同期信号（ＣｌｏｃｋおよびＶＳＹＮＣなど）を用いて、ホストプロセッサからの画像データをＬＣＤ（Ｌｉｑｕｉｄ  Ｃｒｙｓｔａｌ  Ｄｉｓｐｌａｙ）などの表示パネルへ転送する、画像転送制御回路（ＬＣＤ  Ｃｏｎｔｒｏｌｌｅｒ（ＬＣＤＣ））に関する。
【背景技術】
【０００２】
一般に、ホストプロセッサ（たとえば、Ｍｉｃｒｏ  Ｃｏｎｔｒｏｌ  Ｕｎｉｔ（ＭＣＵ））からＬＣＤなどの表示パネルへ画像データを転送する場合、ＭＣＵからの画像データは、ＬＣＤＣ内のメモリに一時保存された後に表示パネルへと出力される。これにより、ＭＣＵからの画像データの転送速度と表示パネルが要求する画像データの転送速度との差異が補償されている。しかしながら、動画再生のようなシームレスな処理では、ＭＣＵからＬＣＤＣへの画像データ入力とＬＣＤＣから表示パネルへの画像データ出力とがほぼ同時に行われる。そのため、画像データの転送速度の差異を補償しきれない場合、メモリに格納中の不完全な画像データが表示パネルへ出力される、いわゆるティアリングと呼ばれる画像データの追い越し現象（Ｔｅａｒｉｎｇ現象）が発生する。表示パネルへの不完全な画像データの出力は、画像表示時のチラつきの原因となる。
【０００３】
従来、画像データを間引くことによって、Ｔｅａｒｉｎｇ現象の発生を抑制する方法がよく知られている。この方法の場合、不完全な画像データの表示パネルへの出力は防止できるものの、画像データの連続性が損なわれるため、スムーズでない表示（画像表示時のチラつき）までは改善できない。
【０００４】
これに対し、Ｔｅａｒｉｎｇ現象にともなう画像表示時のチラつきを、以下のような技術により改善する方法が提案されている（たとえば、特許文献１参照）。すなわち、ソフトウェア処理によるＴｅａｒｉｎｇ対策として、たとえばＭＣＵにおいて、ＬＣＤＣから表示パネルに発行される、出力中か否かを示す同期信号（ＶＳＹＮＣ＿ｏｕｔ）を、割り込み機能またはｐｏｌｌｉｎｇによって監視する。そして、この監視により、ＬＣＤＣから表示パネルへの画像データの出力が確認されると、Ｔｅａｒｉｎｇ現象が発生しないタイミングを見計らって、ＭＣＵからＬＣＤＣへの画像データの入力を慣行する。これにより、Ｔｅａｒｉｎｇ現象に起因する画像表示時のチラつきは改善できる。
【０００５】
ところが、このソフトウェア処理によるＴｅａｒｉｎｇ対策の場合には、ＭＣＵによる画像データ出力の確認処理および画像データ入力のためのタイミング算出処理などが必要となるため、ＭＣＵの負荷が増大するという問題点を有している。
【０００６】
上記したように、Ｔｅａｒｉｎｇ対策をＭＣＵによるソフトウェア処理に委ねるようにした場合、Ｔｅａｒｉｎｇ現象の発生を防止でき、画像表示時のチラつきを改善できるものの、ＭＣＵに多大な負荷がかかるため、消費電力の増加とともに、他の処理への影響が懸念されていた。
【特許文献１】特開２００１−３５０４５５号公報
【発明の開示】
【発明が解決しようとする課題】
【０００７】
本発明は、上記の問題点を解決すべくなされたもので、その目的は、ホストプロセッサに大した負荷をかけることなしに、ティアリング現象の発生を防止でき、画像表示時のチラつきを改善することが可能な表示制御装置を提供することにある。
【課題を解決するための手段】
【０００８】
本願発明の一態様によれば、ホストプロセッサからの画像信号を、表示装置が要求する転送速度に変換して転送する表示制御装置であって、前記ホストプロセッサより入力される前記画像信号の入力周波数（Ｆｉｎ）を検出する入力周波数検出回路と、前記表示装置に出力する前記画像信号の出力周波数（Ｆｏｕｔ）および１フレーム画像出力時間（Ｔ）を検出する出力周波数検出回路と、前記入力周波数（Ｆｉｎ）と、前記出力周波数（Ｆｏｕｔ）および前記１フレーム画像出力時間（Ｔ）とにもとづいて、ティアリング現象の発生が予測される時間を画定するためのティアリング発生境界時間を算出する算出回路と、前記ティアリング発生境界時間からティアリング現象の発生を予告するティアリング予告信号を生成し、前記ホストプロセッサに通知する生成回路とを具備し、前記ティアリング予告信号を、前記ホストプロセッサが前記画像信号の出力タイミングを制御する際の目安とするようにしたことを特徴とする表示制御装置が提供される。
【０００９】
また、本願発明の一態様によれば、ホストプロセッサより第１の転送速度で入力される画像信号を保存する画像メモリと、前記画像メモリに保存された前記画像信号を、表示装置が要求する第２の転送速度に変換して出力する処理回路と、前記ホストプロセッサより入力される同期信号とクロック信号とから、前記画像信号の入力周波数（Ｆｉｎ）を検出する入力周波数検出回路と、前記表示装置に出力する同期信号とクロック信号とから、前記画像信号の出力周波数（Ｆｏｕｔ）および１フレーム画像出力時間（Ｔ）を検出する出力周波数検出回路と、前記入力周波数（Ｆｉｎ）と、前記出力周波数（Ｆｏｕｔ）および前記１フレーム画像出力時間（Ｔ）とにもとづいて、ティアリング現象の発生が予測される時間を画定するためのティアリング発生境界時間を算出する算出回路と、前記ティアリング発生境界時間からティアリング現象の発生を予告するティアリング予告信号を生成するとともに、前記画像信号の出力タイミングを制御する際の目安として、前記ティアリング予告信号を前記ホストプロセッサに通知する生成回路とを具備したことを特徴とする表示制御装置が提供される。
【発明の効果】
【００１０】
上記の構成により、ホストプロセッサに大した負荷をかけることなしに、ティアリング現象の発生を防止でき、画像表示時のチラつきを改善することが可能な表示制御装置を提供できる。
【発明を実施するための最良の形態】
【００１１】
以下、本発明の実施の形態について図面を参照して説明する。ただし、図面は模式的なものであり、各図面の寸法および比率などは現実のものとは異なることに留意すべきである。また、図面の相互間においても、互いの寸法の関係および／または比率が異なる部分が含まれていることは勿論である。特に、以下に示すいくつかの実施の形態は、本発明の技術思想を具体化するための装置および方法を例示したものであって、構成部品の形状、構造、配置などによって、本発明の技術思想が特定されるものではない。この発明の技術思想は、その要旨を逸脱しない範囲において、種々の変更を加えることができる。
【００１２】
［第１の実施形態］
図１は、本発明の第１の実施形態にしたがった、表示制御装置の構成例を示すものである。なお、ここでは、ＭＣＵ１０からの画像データを表示パネル（表示装置）２０へ転送するための、画像転送制御回路（ＬＣＤＣ）３０を例に説明する。
【００１３】
図１に示すように、画像転送制御回路３０は、同期信号（ＣｌｏｃｋおよびＶＳＹＮＣなど）を用いた画像データの入出力機構、画像データの一時保存機構、および、画像データの処理機構を備えるものであって、入力画像データ取得回路３１１、データ変換回路３１２、メモリ３１３、データ変換／画像処理回路３１４、ＰＬＬ回路３１５、同期信号生成回路３１６、制御レジスタ３１７、カウンタ回路３１８，３１９、Ｔｅａｒｉｎｇ発生境界時間の算出回路３２０、および、Ｔｅａｒｉｎｇ予告信号の生成回路３２１を有している。
【００１４】
ここで、ＭＣＵ１０は、装置本体（たとえば、携帯電話など）のホストプロセッサであって、装置本体の全般的な制御（処理）を司るとともに、表示パネル２０に転送する画像データ、同期信号（ＶＳＹＮＣ＿ｉｎなど）、Ｐｉｘｅｌ  Ｃｌｏｃｋ信号、および、制御コマンドを、画像転送制御回路３０に供給するものである。なお、このＭＣＵ１０は、画像転送制御回路３０からのＴｅａｒｉｎｇ予告信号を取り込んで、画像データを画像転送制御回路３０に入力するタイミングを調整する機能を有している。
【００１５】
一方、表示パネル２０はＬＣＤなどによって構成され、ＭＣＵ１０より転送される画像データを表示するものである。
【００１６】
画像転送制御回路３０において、入力画像データ取得回路３１１は、１〜数ライン分のラインメモリを有し、逐次、ＭＣＵ１０からの画像データ、同期信号、および、Ｐｉｘｅｌ  Ｃｌｏｃｋ信号を取り込むものである。
【００１７】
データ変換回路３１２は、入力画像データ取得回路３１１に入力された画像データに各種の信号処理、たとえばガンマ（γ）補正処理、画像サイズ補正（伸縮）処理、色フォーマット処理などを施すものである。
【００１８】
メモリ３１３は、データ変換回路３１２から供給される１フレーム分の画像データを格納できる画像メモリである。
【００１９】
データ変換／画像処理回路３１４は、メモリ３１３に格納された画像データの形態（パラレルデータ→シリアルデータ、画像サイズ、圧縮率、フォーマットなど）を、表示パネル２０での表示にそなえて変更するものである。
【００２０】
ＰＬＬ回路３１５は、画像データの表示パネル２０への出力に必要な、高速クロック信号を生成するものである。
【００２１】
同期信号生成回路３１６は、ＰＬＬ回路３１５からの高速クロック信号をもとに同期信号およびＰｉｘｅｌ  Ｃｌｏｃｋ信号を生成し、その生成した同期信号およびＰｉｘｅｌ  Ｃｌｏｃｋ信号とともに、データ変換／画像処理回路３１４からの画像データを表示パネル２０に出力するものである。
【００２２】
制御レジスタ３１７は、ＭＣＵ１０からの制御コマンドを格納したり、格納している制御コマンドをＭＣＵ１０に送出したりするものである。制御コマンドとしては、各部（回路）でのパラメータの設定などに用いられる各種のデータ、たとえば、画像サイズ、ラインサイズ、周波数、転送待ち時間、および、画像入力周波数（Ｆｉｎ）と画像出力周波数（Ｆｏｕｔ）とを算出するための規定値などがあげられる。
【００２３】
カウンタ回路３１８は、入力画像データ取得回路３１１に与えられるＭＣＵ１０からの同期信号（ＶＳＹＮＣ＿ｉｎ）およびＰｉｘｅｌ  Ｃｌｏｃｋ信号にもとづいて、画像入力周波数（Ｆｉｎ）を取得するための、周波数カウンタ（入力周波数検出回路）である。
【００２４】
カウンタ回路３１９は、表示パネル２０に発行される同期信号（ＶＳＹＮＣ＿ｏｕｔ）およびＰｉｘｅｌ  Ｃｌｏｃｋ信号にもとづいて、画像出力周波数（Ｆｏｕｔ）と１画面転送時間（１フレーム画像出力時間）Ｔとを取得するための、周波数カウンタ（出力周波数検出回路）である。
【００２５】
算出回路３２０は、カウンタ回路３１８，３１９の出力からＴｅａｒｉｎｇ発生境界時間を算出するもので、必要に応じて、画像データ入力および画像データ出力の基準となるクロックスピード、画像サイズ（１フレーム／１ライン）、転送待ち時間などが、Ｔｅａｒｉｎｇ発生境界時間の決定に利用される。Ｔｅａｒｉｎｇ発生境界時間とは、Ｔｅａｒｉｎｇ現象の発生が予測される時間を画定するための情報である。
【００２６】
生成回路３２１は、たとえば数段カウンタであって、同期信号（ＶＳＹＮＣ＿ｏｕｔ）と算出回路３２０からのＴｅａｒｉｎｇ発生境界時間とにしたがってＴｅａｒｉｎｇ予告信号を生成し、ＭＣＵ１０に通知するものである。
【００２７】
図２は、上記した構成の画像転送制御回路３０におけるＴｅａｒｉｎｇ予告信号の生成動作について示すものである。本実施形態の場合、画像入力周波数（Ｆｉｎ）と画像出力周波数（Ｆｏｕｔ）と１フレーム画像出力時間（Ｔ）とが与えられることにより、算出回路３２０において、Ｔｅａｒｉｎｇ発生境界時間が算出される。
【００２８】
たとえば、図２（ａ）〜（ｃ）に示すように、Ｔｅａｒｉｎｇ発生境界時間は、Ｆｏｕｔ／Ｆｉｎの範囲（画像データ入力の傾きの条件に対する画像データ出力の傾きの条件）に応じて、以下の値（ａ）〜（ｃ）をとる。
【００２９】
（ａ）  Ｆｏｕｔ／Ｆｉｎ  ＞  ２のとき
Ｔｅａｒｉｎｇ発生境界時間＝解なし（下記式（２），（３）において、負の値をとる）  …  （１）
すなわち、図２（ａ）に示すように、画像データ入力の傾き（ｙ＝Ｆｉｎｘ＋ｍ）に対して画像データ出力の傾き（ｙ＝Ｆｏｕｔｘ＋ｎ）が２倍以上となる場合、Ｆｏｕｔ，Ｆｉｎの関係によらず、Ｔｅａｒｉｎｇ現象は必ず発生する（通常のシステムとしてはあり得ない状態）。
【００３０】
（ｂ）  ２  ＞  Ｆｏｕｔ／Ｆｉｎ  ≧  １のとき
Ｔｅａｒｉｎｇ発生境界時間＝（２−Ｆｏｕｔ／Ｆｉｎ）Ｔ  …  （２）
すなわち、図２（ｂ）に示すように、ＭＣＵ１０からの画像データの転送速度よりも表示パネル２０が要求する画像データの転送速度の方が速い場合には、表示パネル２０へ画像データ出力を開始してから（２−Ｆｏｕｔ／Ｆｉｎ）Ｔまでの間に画像データ入力を開始すれば、Ｔｅａｒｉｎｇ現象は発生しない。
【００３１】
（ｃ）  １  ＞  Ｆｏｕｔ／Ｆｉｎ  ≧  ０のとき
Ｔｅａｒｉｎｇ発生境界時間＝（１−Ｆｏｕｔ／Ｆｉｎ）Ｔ  …  （３）
すなわち、図２（ｃ）に示すように、ＭＣＵ１０からの画像データの転送速度よりも表示パネル２０が要求する画像データの転送速度の方が遅い場合には、表示パネル２０へ画像データ出力を開始してから（１−Ｆｏｕｔ／Ｆｉｎ）Ｔが経った後に画像データ入力を開始すれば、Ｔｅａｒｉｎｇ現象は発生しない。
【００３２】
このように、画像転送制御回路３０内において、上記式（２），（３）よりＴｅａｒｉｎｇ発生境界時間を算出し、さらに、その算出値をもとにＴｅａｒｉｎｇ予告信号を生成する。そして、この生成したＴｅａｒｉｎｇ予告信号をＭＣＵ１０へ通知する。すなわち、算出回路３２０において、上記式（２），（３）にしたがって、画像入力周波数（Ｆｉｎ）と画像出力周波数（Ｆｏｕｔ）と１フレーム画像出力時間（Ｔ）とから、Ｔｅａｒｉｎｇ現象の発生が予測されるＴｅａｒｉｎｇ発生境界時間を算出する。さらに、生成回路３２１において、その算出したＴｅａｒｉｎｇ発生境界時間と同期信号（ＶＳＹＮＣ＿ｏｕｔ）とをもとに、Ｔｅａｒｉｎｇ予告信号を生成する。たとえば、２  ＞  Ｆｏｕｔ／Ｆｉｎ  ≧  １のときには、Ｔｅａｒｉｎｇ発生境界時間（（２−Ｆｏｕｔ／Ｆｉｎ）Ｔ）と１フレーム画像出力時間（Ｔ）との間だけハイレベルとなる、Ｔｅａｒｉｎｇ予告信号が生成される。また、１  ＞  Ｆｏｕｔ／Ｆｉｎ  ≧  ０のときには、１フレーム画像出力時間（Ｔ）とＴｅａｒｉｎｇ発生境界時間（（１−Ｆｏｕｔ／Ｆｉｎ）Ｔ）との間だけハイレベルとなる、Ｔｅａｒｉｎｇ予告信号が生成される。
【００３３】
これにより、ＭＣＵ１０では、画像転送制御回路３０からのＴｅａｒｉｎｇ予告信号を、たとえば画像出力時のイネーブル信号（あるいは、割り込み信号）として取り込むことによって、Ｔｅａｒｉｎｇ現象の発生を容易に防止できるようになる。つまり、ＭＣＵ１０は、Ｔｅａｒｉｎｇ予告信号にしたがって、画像転送制御回路３０への画像データ入力のタイミングを制御することにより、面倒な画像データ出力の確認処理および画像データ入力のためのタイミング算出処理などを必要とすることなく、Ｔｅａｒｉｎｇ現象の発生なしに表示パネル２０に対する画像データの転送が可能となる。
【００３４】
図３は、上記のＴｅａｒｉｎｇ予告信号を用いた、画像データの入出力のタイミングを示すものである。この例の場合、たとえば入力画像の１〜３枚目までは、画像データ入力を開始するタイミングがいずれもＴｅａｒｉｎｇ予告信号のロウレベル時となるため、出力画像として不完全な画像データが表示パネル２０へ出力されることはない。
【００３５】
これに対し、入力画像の４枚目は、画像データ入力を開始するタイミングがＴｅａｒｉｎｇ予告信号のハイレベル時（図３に示す破線のタイミング）となる。このため、たとえば破線で示すタイミングで画像データ入力を開始すると、Ｔｅａｒｉｎｇ現象が発生し、出力画像として不完全な画像データが表示パネル２０へ出力されることになる。
【００３６】
この場合、ＭＣＵ１０は、たとえば図３に一点鎖線で示すように、画像データ入力を開始するタイミングがＴｅａｒｉｎｇ予告信号のロウレベル時となるよう、入力画像の４枚目を出力するタイミングを変更する。これにより、入力画像の３枚目が、再度、出力画像として表示パネル２０へ出力されることとなり、出力画像として不完全な画像データ（入力画像の４枚目）が表示パネル２０へ出力されるのを防止できる。ゆえに、画像表示時のチラつきを改善でき、画像のスムーズな表示を実現できるようになるものである。
【００３７】
なお、入力画像および出力画像において、実際には各画像データの相互間に若干の転送待ち時間が存在するが、ここでの説明では省略している。
【００３８】
上記したように、画像転送制御回路３０からのＴｅａｒｉｎｇ予告信号を目安に、ＭＣＵ１０での画像データの出力のタイミングを容易に制御できるようにしている。すなわち、周波数に応じて画像データの転送速度は一義的に決まるので、画像転送制御回路において、画像入力周波数（Ｆｉｎ）と画像出力周波数（Ｆｏｕｔ）と１フレーム画像出力時間（Ｔ）とからＴｅａｒｉｎｇ現象の発生を予測し、その結果として、Ｔｅａｒｉｎｇ予告信号を事前にＭＣＵに通知するようにしている。これにより、ＭＣＵにおいては、画像データ出力の確認処理および画像データ入力のためのタイミング算出処理といった面倒なソフトウェア処理を必要とすることなく、Ｔｅａｒｉｎｇ予告信号に応じて画像転送制御回路への画像データの入力のタイミングを変更するだけで、Ｔｅａｒｉｎｇ現象の発生を防止できるようになる。したがって、単に、画像表示時のチラつきを改善できるのみでなく、Ｔｅａｒｉｎｇ対策をＭＣＵによるソフトウェア処理に委ねるようにした従来に比べ、ＭＣＵの負荷を格段に軽減することが可能となり、消費電力の削減とともに、ＭＣＵが行うべき他の処理への影響も最小限にとどめることが可能となるものである。
【００３９】
なお、上記実施形態においては、画像転送制御回路内でＴｅａｒｉｎｇ予告信号の生成までを行うように構成した場合を例に説明したが、これに限らず、たとえば画像転送制御回路とは別構成とすることも可能であり、必ずしも画像転送制御回路として１チップにより構成する場合に限定されるものではない。
【００４０】
その他、本願発明は、上記（各）実施形態に限定されるものではなく、実施段階ではその要旨を逸脱しない範囲で種々に変形することが可能である。さらに、上記（各）実施形態には種々の段階の発明が含まれており、開示される複数の構成要件における適宜な組み合わせにより種々の発明が抽出され得る。たとえば、（各）実施形態に示される全構成要件からいくつかの構成要件が削除されても、発明が解決しようとする課題の欄で述べた課題（の少なくとも１つ）が解決でき、発明の効果の欄で述べられている効果（の少なくとも１つ）が得られる場合には、その構成要件が削除された構成が発明として抽出され得る。
【図面の簡単な説明】
【００４１】
【図１】本発明の第１の実施形態にしたがった、表示制御装置（画像転送制御回路）の構成例を示すブロック図。
【図２】画像転送制御回路におけるＴｅａｒｉｎｇ予告信号の生成動作について説明するために示す図。
【図３】Ｔｅａｒｉｎｇ予告信号を用いた、画像データの入出力にかかるタイミングの一例を示す図。
【符号の説明】
【００４２】
１０…ＭＣＵ、２０…表示パネル、３０…画像転送制御回路、３１３…メモリ、３１８，３１９…カウンタ回路、３２０…Ｔｅａｒｉｎｇ発生境界時間の算出回路、３２１…Ｔｅａｒｉｎｇ予告信号の生成回路。
【図１】
2010026394.tif 000003
【図２】
2010026394.tif 000004
【図３】
2010026394.tif 000005